(57)【要約】【課題】所定の機械的強度を有する構造からなり、安全灯や指示灯としての機能を備えるとともに、アクセサリーとしての機能をも備え、簡易な構造で製造性にも優れたカラビナ形状の携帯用ライトおよびライト機能付アクセサリーを提供すること目的とする。【解決手段】カラナビ形状を有し、電池ホルダ２１に積層して収納された電池２２、ＬＥＤ２３ａ、２３ｂを搭載した回路基板２４ａ、２４ｂ、スイッチ２５を主に収納するケース本体２０と、このケース本体２０に一端が接続されたガイド部材４０ａ、４０ｂと、このガイド部材４０ａ、４０ｂに沿わせて配設された光伝送放出部材５０ａ、５０ｂと、係止部材６０とから主に構成された所定の機械的強度を有する構造で、安全灯や指示灯としての機能を備えるとともに、アクセサリーとしての機能をも備える。【選択図】図１
2006236869.tif 000002
【特許請求の範囲】
【請求項１】
両端面に光導出孔を開口させた筒状のケース本体と、
前記ケース本体に同軸的に内装された電池と、
前記電池を挟んで配置された少なくとも１組の基板と、
前記各基板の前記光導出孔側に搭載され、前記電池により点灯されるＬＥＤと、
前記ケース本体の外側に設けられ、前記ＬＥＤを点灯または点滅させるスイッチ機構と、
基部を前記ケース本体の各光導出孔の縁部に固着させ、他端を環の一部を構成するよう同方向に屈曲または湾曲させて端部を対向させた１組のガイド部材と、
前記ケース本体の各光導出孔に一端を挿入し、前記各ガイド部材に沿わせて配設され、前記ＬＥＤからの光の伝送および放出を行う１組の光伝送放出部材と、
一端が前記一方のガイド部材の先端部に回動可能に同軸的に支持され、他端が前記他方のガイド部材の先端部に係止可能な係止部材と
を具備したことを特徴とする携帯用ライト。
【請求項２】
前記ＬＥＤの点灯パターンを制御する制御装置を、一方の前記基板に搭載したことを特徴とする請求項１記載の携帯用ライト。
【請求項３】
前記ガイド部材が、外側面側が開口する樋状部材で形成され、前記光伝送放出部材が、前記樋状部材の溝に沿わせて配設されることを特徴とする請求項１または２記載の携帯用ライト。
【請求項４】
前記ガイド部材が、複数の開口が側部に形成されたパイプ状部材で形成され、前記光伝送放出部材が、前記パイプ状部材内に、前記パイプ状部材に沿わせて配設されることを特徴とする請求項１または２記載の携帯用ライト。
【請求項５】
前記ガイド部材の開口部に、ガイド部材内を伝送される光の一部を前記開口部に導く光誘導部材を具備することを特徴とする請求項４記載の携帯用ライト。
【請求項６】
前記光伝送放出部材が、透明または半透明の樹脂で形成されることを特徴とする請求項１乃至５のいずれか１項記載の携帯用ライト。
【請求項７】
両端面に光導出孔を開口させた筒状のケース本体と、
前記ケース本体に同軸的に内装された電池と、
前記電池を挟んで配置された少なくとも１組の基板と、
前記各基板の前記光導出孔側に搭載され、前記電池により点灯されるＬＥＤと、
前記ケース本体の外側に設けられ、前記ＬＥＤを点灯または点滅させるスイッチ機構と、
基部を前記ケース本体の各光導出孔の縁部に固着させ、他端を環の一部を構成するよう同方向に屈曲または湾曲させて端部を対向させ、複数の開口が側部に形成されたパイプ状の１組のガイド部材と、
一端が前記一方のガイド部材の先端部に回動可能に同軸的に支持され、他端が前記他方のガイド部材の先端部に係止可能な係止部材と
を具備したことを特徴とする携帯用ライト。
【請求項８】
前記ガイド部材の開口部に、ガイド部材内を伝送される光の一部を前記開口部に導く光誘導部材を備えることを特徴とする請求項７記載の携帯用ライト。
【請求項９】
前記ケース本体の各光導出孔に一端を挿入し、前記各ガイド部材内を沿わせて配設され、前記ＬＥＤからの光の伝送および放出を行う１組の光伝送放出部材を具備することを特徴とする請求項７または８記載の携帯用ライト。
【請求項１０】
両端面に光導出孔を開口させた筒状のケース本体と、
前記ケース本体に同軸的に内装された電池と、
前記電池を挟んで配置された少なくとも１組の基板と、
前記各基板の前記光導出孔側に搭載され、前記電池により点灯されるＬＥＤと、
前記ケース本体の外側に設けられ、前記ＬＥＤを点灯または点滅させるスイッチ機構と、
基部を前記ケース本体の各光導出孔の縁部に固着させ、他端を環の一部を構成するよう同方向に屈曲または湾曲させて端部を対向させた１組のガイド部材と、
前記ケース本体の各光導出孔に一端を挿入し、前記各ガイド部材に沿わせて配設され、前記ＬＥＤからの光の伝送および放出を行う１組の光伝送放出部材と、
一端が前記一方のガイド部材の先端部に回動可能に同軸的に支持され、他端が前記他方のガイド部材の先端部に係止可能な係止部材と
を具備したことを特徴とするライト機能付アクセサリー。
【請求項１１】
両端面に光導出孔を開口させた筒状のケース本体と、
前記ケース本体に同軸的に内装された電池と、
前記電池を挟んで配置された少なくとも１組の基板と、
前記各基板の前記光導出孔側に搭載され、前記電池により点灯されるＬＥＤと、
前記ケース本体の外側に設けられ、前記ＬＥＤを点灯または点滅させるスイッチ機構と、
基部を前記ケース本体の各光導出孔の縁部に固着させ、他端を環の一部を構成するよう同方向に屈曲または湾曲させて端部を対向させ、複数の開口が側部に形成されたパイプ状の１組のガイド部材と、
一端が前記一方のガイド部材の先端部に回動可能に同軸的に支持され、他端が前記他方のガイド部材の先端部に係止可能な係止部材と
を具備したことを特徴とするライト機能付アクセサリー。
【発明の詳細な説明】
【技術分野】
【０００１】
本発明は、ＬＥＤ（Light Emitting Diode）を光源に備えた、常に携帯することが可能な携帯用ライトおよびライト機能付アクセサリーに関する。
【背景技術】
【０００２】
近年、カラビナ形状のアクセサリーが服飾の分野でも使用されている（例えば、特許文献１参照。）。従来のカラビナ形状のアクセサリーは、軽量で低価格とするため、エンジニアプラスチックによって形成されていた。
【特許文献１】特開２００１−３３４５４７号公報
【発明の開示】
【発明が解決しようとする課題】
【０００３】
このようなアクセサリーでは、ファッション性に加えて、例えば、安全灯や指示灯としての機能を兼ね備えることで、より利用価値の深いものにすることができる。また、安全灯や指示灯としての機能を備える場合に、アクセサリーは小型であるため、例えば、ボタン電池などの小さなバッテリーでも対応できるものが要求される。
【０００４】
そこで、本発明では、所定の機械的強度を有する構造からなり、安全灯や指示灯としての機能を備えるとともに、アクセサリーとしての機能をも備え、簡易な構造で製造性にも優れたカラビナ形状の携帯用ライトおよびライト機能付アクセサリーを提供すること目的とする。
【課題を解決するための手段】
【０００５】
上記目的を達成するために、本発明の携帯用ライトは、両端面に光導出孔を開口させた筒状のケース本体と、前記ケース本体に同軸的に内装された電池と、前記電池を挟んで配置された少なくとも１組の基板と、前記各基板の前記光導出孔側に搭載され、前記電池により点灯されるＬＥＤと、前記ケース本体の外側に設けられ、前記ＬＥＤを点灯または点滅させるスイッチ機構と、基部を前記ケース本体の各光導出孔の縁部に固着させ、他端を環の一部を構成するよう同方向に屈曲または湾曲させて端部を対向させた１組のガイド部材と、前記ケース本体の各光導出孔に一端を挿入し、前記各ガイド部材に沿わせて配設され、前記ＬＥＤからの光の伝送および放出を行う１組の光伝送放出部材と、一端が前記一方のガイド部材の先端部に回動可能に同軸的に支持され、他端が前記他方のガイド部材の先端部に係止可能な係止部材とを具備したことを特徴とする。
【０００６】
本発明のライト機能付アクセサリーは、両端面に光導出孔を開口させた筒状のケース本体と、前記ケース本体に同軸的に内装された電池と、前記電池を挟んで配置された少なくとも１組の基板と、前記各基板の前記光導出孔側に搭載され、前記電池により点灯されるＬＥＤと、前記ケース本体の外側に設けられ、前記ＬＥＤを点灯または点滅させるスイッチ機構と、基部を前記ケース本体の各光導出孔の縁部に固着させ、他端を環の一部を構成するよう同方向に屈曲または湾曲させて端部を対向させた１組のガイド部材と、前記ケース本体の各光導出孔に一端を挿入し、前記各ガイド部材に沿わせて配設され、前記ＬＥＤからの光の伝送および放出を行う１組の光伝送放出部材と、一端が前記一方のガイド部材の先端部に回動可能に同軸的に支持され、他端が前記他方のガイド部材の先端部に係止可能な係止部材とを具備したことを特徴とする。
【０００７】
これらの携帯用ライトおよびライト機能付アクセサリーによれば、所定の機械的強度を有するガイド部材を備えることで、例えば、所定の重量を有する対象物が掛止されても耐え得ることができ、ホルダーなどとしても利用することができる。また、ＬＥＤからの光の伝送および放出を行う光伝送放出部材をガイド部材に沿わせて配設することで、ＬＥＤからの光を光伝送放出部材を介して外部に放出することができる。これによって、存在位置を示す安全灯や指示灯などとして機能させることができる。また、係止部材を備えることで、例えば、ズボンなどのベルト通しなどのような環状部に携帯用ライトを取り付けることが可能となり、アクセサリーとして利用することもできる。
【０００８】
また、本発明の携帯用ライトは、両端面に光導出孔を開口させた筒状のケース本体と、前記ケース本体に同軸的に内装された電池と、前記電池を挟んで配置された少なくとも１組の基板と、前記各基板の前記光導出孔側に搭載され、前記電池により点灯されるＬＥＤと、前記ケース本体の外側に設けられ、前記ＬＥＤを点灯または点滅させるスイッチ機構と、基部を前記ケース本体の各光導出孔の縁部に固着させ、他端を環の一部を構成するよう同方向に屈曲または湾曲させて端部を対向させ、複数の開口が側部に形成されたパイプ状の１組のガイド部材と、一端が前記一方のガイド部材の先端部に回動可能に同軸的に支持され、他端が前記他方のガイド部材の先端部に係止可能な係止部材とを具備したことを特徴とする。
【０００９】
また、本発明のライト機能付アクセサリーは、両端面に光導出孔を開口させた筒状のケース本体と、前記ケース本体に同軸的に内装された電池と、前記電池を挟んで配置された少なくとも１組の基板と、前記各基板の前記光導出孔側に搭載され、前記電池により点灯されるＬＥＤと、前記ケース本体の外側に設けられ、前記ＬＥＤを点灯または点滅させるスイッチ機構と、基部を前記ケース本体の各光導出孔の縁部に固着させ、他端を環の一部を構成するよう同方向に屈曲または湾曲させて端部を対向させ、複数の開口が側部に形成されたパイプ状の１組のガイド部材と、一端が前記一方のガイド部材の先端部に回動可能に同軸的に支持され、他端が前記他方のガイド部材の先端部に係止可能な係止部材とを具備したことを特徴とする。
【００１０】
これらの携帯用ライトおよびライト機能付アクセサリーによれば、ガイド部材を複数の開口が側部に形成されたパイプ状の部材で構成することで、機械的強度をさらに増加させることができる。また、ガイド部材に形成された複数の開口を介して、ＬＥＤからの光を外部に放出することができるので、存在位置を示す安全灯や指示灯などとして機能させることができる。また、係止部材を備えることで、例えば、ズボンなどのベルト通しなどのような環状部に携帯用ライトを取り付けることが可能となり、アクセサリーとして利用することもできる。
【発明の効果】
【００１１】
本発明の携帯用ライトおよびライト機能付アクセサリーによれば、所定の機械的強度を有する構造からなり、安全灯や指示灯としての機能を備えるとともに、アクセサリーとしての機能をも備え、簡易な構造で製造性にも優れている。
【発明を実施するための最良の形態】
【００１２】
以下、本発明の一実施の形態について図を参照して説明する。
【００１３】
図１には、本発明に係る一実施の形態の携帯用ライト１０の一部を断面とした図を示している。図２には、ケース本体２０の一部を構成するガイド部材ホルダ３０の断面図を示している。図３には、図１のＡ−Ａ断面図を示している。図４には、係止部材６０を回転支持部６１の軸設置方向から見たときの平面図、図５には、係止部材６０の移動方向の一方側から見たときの平面図を示している。
【００１４】
図１に示すように、携帯用ライト１０は、カラナビ形状を有し、電池ホルダ２１に積層して収納された電池２２、ＬＥＤ２３ａ、２３ｂを搭載した回路基板２４ａ、２４ｂ、スイッチ２５を主に収納するケース本体２０と、このケース本体２０に一端が接続されたガイド部材４０ａ、４０ｂと、このガイド部材４０ａ、４０ｂに沿わせて配設された光伝送放出部材５０ａ、５０ｂと、係止部材６０とから主に構成されている。
【００１５】
ケース本体２０は、両端が開口された両端開口円筒体で形成されたケース本体主部２６と、一端が開口され他端に底面を有する有底円筒体で形成され、その底面にガイド部材４０ａ、４０ｂおよび光伝送放出部材５０ａ、５０ｂを導出するための開口部２７ａ、２８ａを有するケース本体蓋部２７、２８とから主に構成される。ケース本体主部２６の両端側の外側面には、ケース本体蓋部２７、２８と螺合するためのねじ山が螺刻されている。また、ケース本体蓋部２７、２８の開口側の内側面には、ケース本体主部２６と螺合するためのねじ溝が螺刻されている。また、ケース本体２０は、軽量で、所定の機械的強度を有する材料で構成されることが好ましい。このケース本体２０を構成する材料として、例えば、アルミニウムなどの軽金属が挙げられるが、これに限られるものではなく、所定の機械的強度を有する樹脂などを用いてもよい。
【００１６】
また、ケース本体２０は、ケース本体２０の一部を構成し、一端が開口され他端に底面を有する有底円筒体からなり、その底面に光を導出するための光導出孔２９ａ、３０ａが形成されたガイド部材ホルダ２９、３０を備えている。図２のガイド部材ホルダ３０の断面図に示すように、ガイド部材ホルダ２９、３０の光導出孔２９ａ、３０ａの縁部には、ガイド部材４０ａ、４０ｂの基部が固着されている。さらに、光導出孔２９ａ、３０ａには、光伝送放出部材５０ａ、５０ｂの一端が挿入され、固定されている。
【００１７】
また、図２に示すように、ガイド部材ホルダ２９には、ＬＥＤ２３ｂを搭載する回路基板２４ｂが保持され、そのＬＥＤ２３ｂは、光導出孔３０ａと対向し、同軸上となるように回路基板２４ｂ上に配置されている。この回路基板２４ｂは、ＬＥＤ２３ｂを搭載した側と異なる側の面が一方の電極接点２１ａを介して電池ホルダ２１と接している。なお、図には示されていないが、回路基板２４ｂの所定の部位には、他方の電極接点が当接されている。このガイド部材ホルダ３０は、ケース本体主部２６から容易に取り外すことができるので、電池２２などの交換を容易に行うことができる。
【００１８】
一方、図１に示した、ガイド部材ホルダ２９は、ＬＥＤ２３ａを搭載する回路基板２４ａを保持せず、その開口端をＬＥＤ２３ａを搭載する回路基板２４ａに当接させて配置されている。ここで、上記したＬＥＤ２３ｂの場合と同様に、ＬＥＤ２３ａは、光導出孔２９ａと対向し、同軸上となるように回路基板２４ａ上に配置されている。また、スイッチ２５を有するスイッチ機構は、一方の電極接点２１ｂおよび図示しない他方の電極接点と接しており、回路基板２４ａは、このスイッチ２５を有するスイッチ機構を介して電池ホルダ２１の負極および正極と接するように構成されている。なお、回路基板２４ａは、上記した回路基板２４ｂと同様に、ガイド部材ホルダ２９に保持してもよい。さらに、ガイド部材ホルダ２９に、回路基板２４ａを保持するとともに、スイッチ２５を有するスイッチ機構をも保持させてもよい。
【００１９】
スイッチ２５は、ケース本体主部２６の側部に設けられた側壁開口部３１から、一端側が外部に突出して液密に設置された切り替えボタン３２の他端側と接触可能な状態に設置されている。そして、切り替えボタン３２が押されると、それに連動してスイッチ２５が動き、例えば、回路基板２４ａに搭載された制御装置を切り替えて、ＬＥＤ２３ａ、２３ｂの点灯パターンを切り替えたり、携帯用ライト１０をＯＦＦ状態とする。
【００２０】
ここで、ＬＥＤ２３ａ、２３ｂの点灯パターンには、例えば、ＬＥＤ２３ａとＬＥＤ２３ｂとを連続点灯させるパターン、ＬＥＤ２３ａとＬＥＤ２３ｂとを同期させて断続点灯させるパターン、ＬＥＤ２３ａとＬＥＤ２３ｂとを非同期に断続点灯させるパターンなどが例示できるが、これらに限られるものではない。
【００２１】
また、回路基板２４ａ、２４ｂに搭載されるＬＥＤ２３ａ、２３ｂは、高輝度の白色光を出射するものが好ましいが、白色光を出射するＬＥＤに限らず、他色の光を出射するＬＥＤを用いてもよい。
【００２２】
電池２２として、板状の、いわゆるボタン電池などが用いられ、このボタン電池は、電池ホルダ２１に複数個直列に積層された状態で使用されている。光源として使用されるＬＥＤ２３ａ、２３ｂは、消費電力が小さいため、電池容量の小さなボタン電池を使用しても携帯用ライト１０を十分に作動させることができる。この携帯用ライト１０において、例えば、ＬＲ４４型のボタン電池を３個直列に積層して用いた場合、すべてのＬＥＤ２３ａ、２３ｂを連続して点灯させた状態で１０時間程度使用することができる。なお、電池２２は、ケース本体２０をコンパクトにする上で形状が小さい方が好ましく、この要求に対応するものであれば、二次電池を使用してもよい。二次電池を使用することで、環境対応型の携帯用ライト１０を提供することができる。
【００２３】
また、ガイド部材ホルダ２９、３０の光導出孔２９ａ、３０ａの縁部に、基部が固着されたガイド部材４０ａ、４０ｂは、ケース本体蓋部２７、２８に形成された開口部２７ａ、２８ａを介して外部に導出され、他端を環の一部を構成するよう同方向に屈曲または湾曲させて、コ字形に形成されている。また、ガイド部材４０ａの端部と、ガイド部材４０ｂの端部は、同軸上の対向した位置となるように構成されている。また、ガイド部材４０ａ、４０ｂは、その端部を除いて、外側面側が開口する樋状の形状を有している。そして、光伝送放出部材５０ａ、５０ｂは、一端をガイド部材ホルダ２９、３０の光導出孔２９ａ、３０ａに挿入して、図３に示すように、その樋状の溝に沿わせて配設されている。ここで、ガイド部材４０ａ、４０ｂの溝と、光伝送放出部材５０ａ、５０ｂとの密着性を向上させるために、例えば、それぞれを透明な接着剤などで固着することが好ましい。
【００２４】
ガイド部材４０ａ、４０ｂは、例えば、リュックサックなどの所定の重量を有する対象物が掛止されても耐え得る程度の機械的強度を有し、かつ、軽量であることが好ましい。このガイド部材４０ａ、４０ｂを構成する材料として、例えば、アルミニウムなどの軽金属が挙げられるが、これに限られるものではない。なお、軽金属を使用する場合において、加工性に優れたものを用いることが好ましい。
【００２５】
光伝送放出部材５０ａ、５０ｂは、ＬＥＤ２３ａ、２３ｂから出射された光を伝送するとともに、外部に光を放出するものである。この光の伝送は、光伝送放出部材５０ａ、５０ｂの端部にまで至ることが好ましい。この光伝送放出部材５０ａ、５０ｂを構成する材料として、例えば、透明または半透明のポリカーボネートなどの樹脂が挙げられる。また、光伝送放出部材５０ａ、５０ｂの形状は、ガイド部材ホルダ２９、３０の樋状の溝の形状に対応するように設定され、ここでは、光伝送放出部材５０ａ、５０ｂの形状を、樋状の溝の内径と等しい外径を有する柱体としている。
【００２６】
係止部材６０は、図４および５に示すように、ガイド部材４０ａとガイド部材４０ｂの端部間に同軸的に配置され、一端が回転支持部６１によって、ガイド部材４０ａの端部に回動可能に支持され、他端がガイド部材４０ｂの端部に係止可能な形状を有する棒状の部材で構成されている。なお、ガイド部材４０ｂの端部は、先端部の厚さが肉薄に形成され、さらに、図４に示すように、端部は、その下方にいくに伴い突出した形状を有している。一方、係止部材６０の他端には、このガイド部材４０ｂの端部の厚さに対応したスリットが形成され、図４の点線で示すように、そのスリットは、ガイド部材４０ｂの端部の形状に対応させて、下方にいくに伴いスリットの深さを増した形状を有している。そして、係止部材６０は、ガイド部材４０ｂの端部に係止されるとともに、離脱可能に嵌合され、携帯用ライト１０が全体として環状となる。
【００２７】
また、係止部材６０は、例えば、リュックサックなどの所定の重量を有する対象物が掛止されても耐え得る程度の機械的強度を有し、かつ、軽量であることが好ましい。この係止部材６０を構成する材料として、例えば、アルミニウムなどの軽金属が挙げられるが、これに限られるものではない。なお、軽金属を使用する場合において、加工性に優れたものを用いることが好ましい。
【００２８】
なお、係止部材６０は、この構成に限られるものではなく、ガイド部材４０ａとガイド部材４０ｂの端部間を開閉可能とする構成ならばよい。例えば、ガイド部材４０ｂの端部の外側面にねじ山を螺刻し、それに対応する雌ねじが内壁面に螺刻された袋ナットを係止部材６０とし、それぞれを螺合させる構成を採用してもよい。これにより強固に係止部材６０を固定することができる。
【００２９】
このように環状を成す携帯用ライト１０は、例えば、ズボンのベルト通しなどのような環状部に、係止部材６０を開閉することで係止して、アクセサリーとして利用することができる。さらに、鍵などをガイド部材４０ａ、４０ｂに掛けることで、キーホルダとして利用することもできる。
【００３０】
次に、携帯用ライト１０の作用の一例について説明する。
【００３１】
切り替えボタン３２を介してスイッチ２５が押されると携帯用ライト１０は作動し、切り替えボタン３２を介してスイッチ２５を押す毎に、ＬＥＤ２３ａ、２３ｂの点灯パターンが切り替わり、所定の点灯パターンでＬＥＤ２３ａ、２３ｂが点灯する。そして、一連の点灯パターンに切り替わった後、スイッチ２５が押されるとＯＦＦ状態となる。
【００３２】
ＬＥＤ２３ａ、２３ｂから出射された光は、ガイド部材ホルダ２９、３０の光導出孔２９ａ、３０ａに挿入された光伝送放出部材５０ａ、５０ｂの一端側から入光する。光伝送放出部材５０ａ、５０ｂに入光した光は、光伝送放出部材５０ａ、５０ｂの他端側へ伝送され、それとともに外部に放出される。つまり、ガイド部材４０ａ、４０ｂに沿って配置された光伝送放出部材５０ａ、５０ｂから光が放出される。
【００３３】
ここで、携帯用ライト１０の点灯パターンの一例を説明する。
【００３４】
スイッチ２５が１回押されると、ＬＥＤ２３ａ、２３ｂの双方が連続点灯する。さらにスイッチ２５を１回押すと、ＬＥＤ２３ａ、２３ｂの双方が同期して断続点灯する。さらにスイッチ２５を１回押すと、電源がＯＦＦ状態となる。
【００３５】
なお、上記した点灯パターンは一例であり、これらに限られるものではない。例えば、ＬＥＤ２３ａ、２３ｂの双方を非同期に断続点灯するパターンなどを一連の点灯パターンに構成してもよい。
【００３６】
ここで、携帯用ライト１０を、例えば、夜間の安全灯や指示灯として使用する場合には、外部、特に遠く離れた位置からも確認できることが好ましく、点灯パターンの設定の際には、少なくともそのことを考慮して設定がなされる。
【００３７】
上記したように、一実施の形態の携帯用ライト１０によれば、ガイド部材４０ａ、４０ｂを所定の機械的強度を有するように構成しているので、例えば、所定の重量を有する対象物が掛止されても耐え得ることができ、ホルダーなどとしても利用することができる。さらに、ガイド部材４０ａ、４０ｂの樋状の溝に沿わせて、一端をガイド部材ホルダ２９、３０の光導出孔２９ａ、３０ａに挿入した光伝送放出部材５０ａ、５０ｂが配設されているので、ＬＥＤ２３ａ、２３ｂを点灯させた状態では、存在位置を示す安全灯や指示灯などとして機能させることができる。また、例えば、ズボンなどのベルト通しなどのような環状部に携帯用ライト１０を取り付けることで、アクセサリーとして利用することもできる。
【００３８】
また、ＬＥＤ２３ａ、２３ｂの点灯パターンを複数設定することができるので、例えば、安全灯や指示灯などとして機能させる場合やアクセサリーとして機能させる場合のそれぞれに対して、適切な点灯パターンを選択することができる。これによって、それぞれの機能を有効に発揮することができる。
【００３９】
また、携帯用ライト１０は、キーホルダなどのような感覚で携帯されるので、例えば携帯用ライト１０を落下したり、壁などに衝突したりする頻度が高いと考えられる。そのような場合でも、ＬＥＤ２３ａ、２３ｂや回路基板２４ａ、２４ｂなどの構成部がケース本体２０内に収納されているので、破損しにくいという特徴も有している。さらに、携帯用ライト１０の構造は簡易であるため、製造性にも優れている。
【００４０】
なお、上記した説明では、携帯用ライト１０について主に説明したが、同一構成においてライト機能付アクセサリーとして用いることもできる。ライト機能付アクセサリーとして用いた場合においても、携帯用ライト１０と同様の作用効果を得ることができる。
【００４１】
（他の実施の形態）
次に、他の実施の形態の携帯用ライト１００について図６を参照して説明する。
【００４２】
図６には、本発明に係る他の実施の形態の携帯用ライト１００の断面図を示している。ここで、携帯用ライト１００は、上記した一実施の形態の携帯用ライト１０のガイド部材４０ａ、４０ｂの構成が異なり、他の構成は同一なので、同一の構成部分には同一の符号を付して、重複する説明を簡略または省略する。
【００４３】
図６に示すように、携帯用ライト１００は、カラナビ形状を有し、電池ホルダ２１に積層して収納された電池２２、ＬＥＤ２３ａ、２３ｂを搭載した回路基板２４ａ、２４ｂ、スイッチ２５を主に収納するケース本体２０と、このケース本体２０に一端が接続されたガイド部材１０１ａ、１０１ｂと、係止部材６０とから主に構成されている。
【００４４】
次に、ガイド部材１０１ａ、１０１ｂの構成について説明する。
【００４５】
ガイド部材１０１ａ、１０１ｂは、ガイド部材ホルダ２９、３０の光導出孔２９ａ、３０ａの縁部に、基部が固着され、ケース本体蓋部２７、２８に形成された開口部２７ａ、２８ａを介して外部に導出され、他端を環の一部を構成するよう同方向に屈曲または湾曲させて、コ字形に形成されている。また、ガイド部材１０１ａの端部と、ガイド部材１０１ｂの端部は、同軸上の対向した位置となるように構成されている。また、ガイド部材１０１ａ、１０１ｂは、その端部を除いて、側壁に光を放出するための複数の光放出孔１０２が開口されたパイプ形状を有する部材で構成されている。
【００４６】
このガイド部材１０１ａ、１０１ｂは、例えば、リュックサックなどの所定の重量を有する対象物が掛止されても耐え得る程度の機械的強度を有し、かつ、軽量であることが好ましい。このガイド部材１０１ａ、１０１ｂを構成する材料として、例えば、アルミニウムなどの軽金属が挙げられるが、これに限られるものではない。なお、軽金属を使用する場合において、加工性に優れたものを用いることが好ましい。
【００４７】
ここでは、光放出孔１０２の形状は、丸孔に形成されているが、この形状に限られるものではなく、例えば、スリット形状や、星形、ハート形などの形状でもよい。この光放出孔１０２の形状を工夫することによって、デザイン性を強調することができる。また、光放出孔１０２は、ガイド部材１０１ａ、１０１ｂの側壁にほぼ均一に配置されているが、ランダムに配置されてもよい。また、携帯用ライト１００の構成上、ＬＥＤ２３ａ、２３ｂに近いガイド部材１０１ａ、１０１ｂの基部側から放出される光量が多くなるので、ガイド部材１０１ａ、１０１ｂの基部側から端部側に向かって徐々に光放出孔１０２の個数や開口面積などを増加させるように、光放出孔１０２を形成してもよい。これによって、各光放出孔１０２から均一に光を放出することができる。なお、ＬＥＤ２３ａ、２３ｂからの光を効率よく放出し、端部側に効率よく導くために、ガイド部材１０１ａ、１０１ｂの内側面は、鏡面仕上げされていることが好ましい。
【００４８】
このガイド部材１０１ａ、１０１ｂを備えた携帯用ライト１００では、ＬＥＤ２３ａ、２３ｂから出射された光は、ガイド部材ホルダ２９、３０の光導出孔２９ａ、３０ａに固着された側からガイド部材１０１ａ、１０１ｂ内に入光する。ガイド部材１０１ａ、１０１ｂ内に入光した光は、ガイド部材１０１ａ、１０１ｂの他端側へ伝送され、それとともに、光放出孔１０２から外部に放出される。
【００４９】
上記した、光放出孔１０２を有するガイド部材１０１ａ、１０１ｂを備える携帯用ライト１００によれば、ガイド部材１０１ａ、１０１ｂをパイプ形状とすることで、機械的強度をさらに増加させることができる。さらに、光放出孔１０２から外部に光を放出することができるので、ＬＥＤ２３ａ、２３ｂを点灯させた状態では、存在位置を示す安全灯や指示灯などとして機能させることができる。また、例えば、ズボンなどのベルト通しなどのような環状部に携帯用ライト１０を取り付けることで、アクセサリーとして利用することもできる。
【００５０】
なお、この携帯用ライト１００においては、ガイド部材１０１ａ、１０１ｂ内に沿わせて、前述した光伝送放出部材５０ａ、５０ｂは配設されていないが、光伝送放出部材５０ａ、５０ｂを配設してもよい。ガイド部材１０１ａ、１０１ｂ内に光伝送放出部材５０ａ、５０ｂを配設することで、例えば、ガイド部材１０１ａ、１０１ｂに許容範囲以上の負荷がかかり、亀裂や破断を生じるようなことがあっても、光伝送放出部材５０ａ、５０ｂによって携帯用ライト１００の環状の形状を維持することができる。これによって、携帯用ライト１００が取り付け部から落下したり、携帯用ライト１００に取り付けていた物が落下したりすることを防止できる。
【００５１】
次に、他の構成を備える光放出孔１１０について、図７および図８を参照して説明する。
【００５２】
図７は、ガイド部材１０１ａ、１０１ｂにおける光放出孔１１０の断面図、図８は、ガイド部材１０１ａ、１０１ｂの外側から光放出孔１１０を見たときの平面図を示している。なお、光放出孔１１０は、図６に示した光放出孔１０２と同様に、複数設けられているが、ここでは説明の便宜上、図７および図８には１つの光放出孔１１０が示されている。また、図中の矢印は、光の伝送方向を示している。
【００５３】
光放出孔１１０は、ガイド部材１０１ａ、１０１ｂの側面にコ字状の切込みを入れ、切り込まれた部分をガイド部材１０１ａ、１０１ｂ内に切り起こして形成される。なお、コ字状の切込みは、図８に示すように、そのコ字の開口側が光が伝送される方向側となるように形成される。
【００５４】
ここで、光放出孔１１０の形状は、矩形に形成されているが、この形状に限られるものではなく、半円形、三角形などの形状でもよい。この光放出孔１１０の形状を工夫することによって、デザイン性を強調することができる。また、光放出孔１１０は、ガイド部材１０１ａ、１０１ｂの側壁にほぼ均一に配置しても、ランダムに配置してもよい。また、携帯用ライト１００の構成上、ＬＥＤ２３ａ、２３ｂに近いガイド部材１０１ａ、１０１ｂの基部側から放出される光量が多くなるので、ガイド部材１０１ａ、１０１ｂの基部側から端部側に向かって徐々に光放出孔１１０の個数や開口面積などを増加させるように、光放出孔１１０を形成してもよい。これによって、各光放出孔１１０から均一に光を放出することができる。
【００５５】
このガイド部材１０１ａ、１０１ｂを備えた携帯用ライト１００では、図７に示すように、ガイド部材１０１ａ、１０１ｂ内を伝送されてきた光の一部は、光誘導部材として機能する切り起こし部１１１によって光放出孔１１０に導かれ、外部に放出される。
【００５６】
上記した、光放出孔１１０を有するガイド部材１０１ａ、１０１ｂを備える携帯用ライト１００によれば、ガイド部材１０１ａ、１０１ｂをパイプ形状とすることで、機械的強度をさらに増加させることができる。さらに、光放出孔１１０に切り起こし部１１１を備えることで、外部への光の放出を効果的に行うことができる。また、光放出孔１１０から外部に光を効果的に放出することができるので、ＬＥＤ２３ａ、２３ｂを点灯させた状態では、存在位置を示す安全灯や指示灯などとして機能させることができる。
【００５７】
なお、光放出孔１１０を有するガイド部材１０１ａ、１０１ｂを備える携帯用ライト１００においては、ガイド部材１０１ａ、１０１ｂ内に沿わせて、前述した光伝送放出部材５０ａ、５０ｂは配設されていないが、光伝送放出部材５０ａ、５０ｂを配設してもよい。この場合には、ガイド部材１０１ａ、１０１ｂ内に突起した切り起こし部１１１を有するため、例えば、切り起こし部１１１が形成されたガイド部材１０１ａ、１０１ｂに光伝送放出部材５０ａ、５０ｂを構成する材料を流し込んで固化させるか、ガイド部材１０１ａ、１０１ｂ内に光伝送放出部材５０ａ、５０ｂを構成する材料を配置してから切り起こし部１１１を形成するなど、製作上の所定の工夫は必要とするが、光伝送放出部材５０ａ、５０ｂを配設することは可能である。
【００５８】
ガイド部材１０１ａ、１０１ｂ内に光伝送放出部材５０ａ、５０ｂを配設することで、例えば、ガイド部材１０１ａ、１０１ｂに許容範囲以上の負荷がかかり、亀裂や破断を生じるようなことがあっても、光伝送放出部材５０ａ、５０ｂによって携帯用ライト１００の環状の形状を維持することができる。これによって、携帯用ライト１００が取り付け部から落下したり、携帯用ライト１００に取り付けていた物が落下したりすることを防止できる。
【００５９】
なお、上記した説明では、携帯用ライト１００について主に説明したが、同一構成においてライト機能付アクセサリーとして用いることもできる。ライト機能付アクセサリーとして用いた場合においても、携帯用ライト１００と同様の作用効果を得ることができる。
【図面の簡単な説明】
【００６０】
【図１】一実施の形態の携帯用ライトの一部を断面とした図。
【図２】ケース本体の一部を構成するガイド部材ホルダの断面図。
【図３】図１のＡ−Ａ断面図。
【図４】係止部材を回転支持部の軸設置方向から見たときの平面図。
【図５】係止部材の移動方向の一方側から見たときの平面図。
【図６】他の実施の形態の携帯用ライトの断面図。
【図７】ガイド部材における光放出孔の断面図。
【図８】ガイド部材の外側から光放出孔を見たときの平面図。
【符号の説明】
【００６１】
１０…携帯用ライト、２０…ケース本体、２１…電池ホルダ、２１ａ，２１ｂ…電極接点、２２…電池、２３ａ，２３ｂ…ＬＥＤ、２４ａ，２４ｂ…回路基板、２５…スイッチ、２６…ケース本体主部、２７，２８…ケース本体蓋部、２９，３０…ガイド部材ホルダ、２９ａ，３０ａ…光導出孔、３１…側壁開口部、３２…切り替えボタン、４０ａ，４０ｂ…ガイド部材、５０ａ，５０ｂ…光伝送放出部材、６０…係止部材、６１…回転支持部。
【図１】
2006236869.tif 000003
【図２】
2006236869.tif 000004
【図３】
2006236869.tif 000005
【図４】
2006236869.tif 000006
【図５】
2006236869.tif 000007
【図６】
2006236869.tif 000008
【図７】
2006236869.tif 000009
【図８】
2006236869.tif 000010